(57)【要約】【目的】模型眼やＣＬベースカーブ測定の時は測定モードを自動で模型眼やＣＬに最適な測定モードに変更することによって、操作性の改善や誤測定の防止を図ることができる眼科装置を提供すること。【構成】人眼の光学的特性を測定する測定モードと、人眼以外の光学的特性を測定するための測定モードを有する検眼手段と、人眼以外の光学的特性の測定に用いられる測定補助部材と、を有する眼科装置において、前記測定補助部材の装置への取り付けを検知する検知手段と、該検知手段の検知結果に基づいて前記測定モードの切り換えを制御する制御手段を設ける。【選択図】      図１
2005006869.tif 000002
【特許請求の範囲】
【請求項１】
人眼の光学的特性を測定する測定モードと、人眼以外の光学的特性を測定するための測定モードを有する検眼手段と、人眼以外の光学的特性の測定に用いられる測定補助部材と、を有する眼科装置において、
前記測定補助部材の装置への取り付けを検知する検知手段と、該検知手段の検知結果に基づいて前記測定モードの切り換えを制御する制御手段を有することを特徴とする眼科装置。
【請求項２】
前記測定補助部材は、コンタクトレンズのベースカーブを測定するために装置に取り付けられ、コンタクトレンズを保持するホルダーであり、前記制御手段は、該ホルダーの装置への取り付けを検知した時には前記測定モードをコンタクトレンズのベースカーブ測定のためのモードに切り替えることを特徴とする請求項１記載の眼科装置。
【請求項３】
前記測定補助部材は、装置の精度チェックのために使用される模擬眼であり、前記制御手段は、該模擬眼の装置への取り付けを検知した時には前記測定モードを模擬眼を測定して装置の精度チェックを行うためのモードに切り替えることを特徴とする請求項１記載の眼科装置。
【請求項４】
前記制御手段は、前記検知手段の検知結果から、前記測定補助部材が装置から取り外された時には前記測定補助部材が取り付けられる直前の測定モードに切り換えを行うことを特徴とする請求項１記載の眼科装置。
【請求項５】
人眼の複数の光学的特性を測定する測定モードと、人眼以外の光学的特性を測定するための測定モードを有する検眼手段と、人眼以外の光学的特性の測定に用いられる測定補助部材と、前記測定モードを切り替えて選択するためのモード切替スイッチと、を有する眼科装置において、
前記測定補助部材の装置への取り付けを検知する検知手段と、該検知手段の検知結果から、前記測定補助部材が装置へ取り付けられていない時は、前記モード切替スイッチにより切り換え可能な測定モードを人眼の光学的特性の測定モードに設定し、前記測定補助部材が装置へ取り付けられている時は、前記モード切替スイッチにより切り換え可能な測定モードを測定補助部材の使用により測定する光学的特性の測定モードに設定する制御手段を有することを特徴とする眼科装置。
【請求項６】
装置の精度を検査するために用いられ、装置に取り付け可能な模擬眼において、
該模擬眼はコンタクトレンズを固定するコンタクトレンズホルダーを取り付け可能とし、模擬眼の装置への取り付けを検知する第１の検知手段と、前記コンタクトレンズホルダーの前記模擬眼への取り付けを検知する第２の検知手段を有し、前記第１と第２の検出結果から装置の測定モードを、前記模擬眼の測定モード又は前記コンタクトレンズの測定モードに切り替えることを特徴とする眼科装置の模擬眼。
【発明の詳細な説明】
【０００１】
【発明の属する技術分野】
本発明は、被検眼の光学的特性の測定を行う眼科装置とこれに用いられる模擬眼に関する。
【０００２】
【従来の技術】
従来、被検眼の眼屈折力を測定するオートレフラクトメーターや角膜の曲率半径を測定するケラトメーターには、装置の精度をユーザーがチェックできるように所定の屈折力やレンズ表面の曲率半径を有する模擬眼を装置に同梱しているものがある。
【０００３】
又、ケラトメーターにおいては、ハードコンタクトレンズを同梱されているコンタクトレンズホルダーに取り付けることによって、被検眼の角膜曲率半径の他にコンタクトレンズのベースカーブの測定ができるようにしているものもある。
【０００４】
このような模擬眼やコンタクトレンズホルダーを装置の顎受け台に置いたり、額当てが取り付けられている梁部に引っ掛ける等して取り付け、模擬眼やコンタクトレンズの表面に位置合わせして測定を行っている。
【０００５】
現在では、上記のようなオートレフラクトメーターやケラトメーターの機能を複合したオートレフケラトメーターも一般的に用いられており、このようなオートレフケラトメーターでは被検眼の眼屈折力測定、角膜曲率半径測定、被検眼の角膜周辺部の曲率半径測定、それに前述のコンタクトレンズのベースカーブ測定等の複数の測定モードがあり、それらの測定モードを、通常、モード切替スイッチを使って操作者が切り替えて使用している。尚、斯かる技術は特許文献１〜３に開示されている。
【０００６】
【特許文献１】
特開２０００−０４１９４９号公報
【特許文献２】
特開２００１−３４０２９８号公報
【特許文献３】
特開２００２−３４５７５５号公報
【発明が解決しようとする課題】
しかしながら、  上記のような従来例では、コンタクトレンズのベースカーブを測定する際には、コンタクトレンズを保持しているコンタクトレンズホルダーを顎受けや額当てに取り付けて、操作者が測定モードをコンタクトレンズのベースカーブの測定を行う測定モードにモード切替スイッチを使って選択することによって、測定を行わなければならないため、
複数ある測定モードからその都度、測定モードを切り替えて選択するのが煩わしい。
【０００７】
測定モードの切り替えを忘れたまま、例えば人眼の角膜曲率半径の測定モードのまま測定を行ってしまった時等の場合には、誤った測定が行われてしまう可能性がある。
【０００８】
逆にコンタクトレンズのベースカーブ測定のモードのまま、被検眼の角膜曲率半径の測定を行ってしまった場合も、誤った測定が行われてしまう。
等の問題点があった。
【０００９】
又、最近では測定を行う光学ユニットが自動でアライメントし、所望の光学特性を測定する装置も現れており、被検眼の右目を自動でアライメント・測定を行った後に、自動でもう一方の目である左目側に自動で光学ユニットが移動して、左目を自動でアライメント・測定して、測定結果のプリントアウトまで連続で行う装置も現れてきている。
【００１０】
このような両眼連続測定を行う眼科装置で、前述の模擬眼の測定を行う場合、通常、両眼連続測定のモードに設定されていることが多いので、
右目の位置で模擬眼を測定した後、左目方向に自動で移動してしまい、測定する対象が見つからないのでエラーで止まってしまい、模擬眼の測定結果を直ぐに確認することができない。
【００１１】
上記のようなエラーが起こらないようにするには、自動でない測定モードや片眼のみ測定のモードの設定し直さなければならないために操作が煩わしい。
という問題があった。
【００１２】
本発明は上記問題に鑑みてなされたもので、その目的とする処は、模型眼やＣＬベースカーブ測定の時は測定モードを自動で模型眼やＣＬに最適な測定モードに変更することによって、操作性の改善や誤測定の防止を図ることができる眼科装置及び模擬眼を提供することにある。
【００１３】
【課題を解決するための手段】
上記のような課題を解決するために、本出願に係る発明の眼科装置では、
１．模擬眼やコンタクトレンズホルダー等の人眼以外の光学的特性の測定に用いられる測定補助部材の装置への取り付けを検知する検知手段と、該検知手段の検知結果から被検眼の光学的特性を測定する測定モードと、前記人眼以外の光学的特性を測定する測定モードとの切換を制御する制御手段を設けた。
【００１４】
２．前記測定補助部材は、コンタクトレンズのベースカーブを測定するために装置に取り付けられ、コンタクトレンズを保持するホルダーであり、前記制御手段は該ホルダーの装置への取り付けを検知した時には前記測定モードをコンタクトレンズのベースカーブ測定のためのモードに切り替えるようにした。
【００１５】
３．記測定補助部材は、装置の精度チェックのために使用される模擬眼であり、前記制御手段は該模擬眼の装置への取り付けを検知した時には前記測定モードを模擬眼を測定し装置の精度チェックを行うためのモードに切り替えるようにした。
【００１６】
この模擬眼の測定モードは上述した人眼の測定の際に使用する両眼連続の測定モードから模擬眼を測定し結果表示を行う模擬眼の測定に適した測定モードである。
【００１７】
４．前記制御手段は前記検知手段の検知結果から、前記測定補助部材が装置から取り外された時には前記測定補助部材が取り付けられる直前の測定モードに切り換えを行うようにした。
【００１８】
５．前記測定補助部材の装置への取り付けを検知する検知手段と、該検知手段の検知結果から、前記測定補助部材が装置へ取り付けられていない時は、前記モード切替スイッチにより切り換え可能な測定モードを人眼の光学的特性の測定モードに設定し、前記測定補助部材が装置へ取り付けられている時は、前記モード切替スイッチにより切換可能な測定モードを測定補助部材の使用により測定する光学的特性の測定モードに設定するように制御するようにした。
【００１９】
６．装置の精度を検査するために用いられ、装置に取り付け可能な模擬眼において、該模擬眼はコンタクトレンズを固定するコンタクトレンズホルダーを取り付け可能とし、前記模擬眼の装置への取り付けを検知する第１の検知手段と、前記コンタクトレンズホルダーの前記模擬眼への取り付けを検知する第２の検知手段を有し、前記第１と第２の検出結果から装置の測定モードを、前記模擬眼の測定モード又は前記コンタクトレンズの測定モードに切り替えるようにした。
【００２０】
【発明の実施の形態】
以下に本発明の実施の形態を添付図面に基づいて説明する。
【００２１】
図１は実施の形態１に係る検眼装置の外観図である。
【００２２】
図１に示す検眼装置は、被検眼の眼屈折力と角膜形状を同時に測定する複合機であり、所謂オートレフケラトメーターである。
【００２３】
オペレータが操作する面には、測定値や被検眼像等の表示や各標装置の設定を選択する液晶モニタやＣＲＴモニタ等の表示装置１と、その表示画面を操作したり、上部の測定部２を被検眼に対して位置合わせするためのトラックボール３、ローラ４、プリンタ印字スイッチや測定開始スイッチや測定モード選択スイッチ等が配置されたスイッチパネル５が配置されている。又、装置の側面には、測定結果等を印字出力するためのプリンタ６が配置されている。
【００２４】
被検者は、オペレータが操作する側と反対側にある顔受け部８６で顔を固定して、測定部２の対物部の前に被検眼を置くことで測定が可能となる。
【００２５】
図２は本装置の測定部２を被検眼Ｅにアライメントするための駆動部を示している。
【００２６】
測定部２は、上下方向に移動させるための上下駆動部７と接合されており、測定部２を約３０ｍｍ上下方向に移動できるようになっている。測定部２は上下支柱８に支えられており、直動型のボールベアリングと昇降用の送りねじが内蔵された上下駆動支柱９に接合され、その上下駆動支柱９は上下駆動基台１０に固定されている。測定部２の上下支柱８の中心軸回りの回転規制のため、回り止め支柱１１が測定部２から下方に突起されており、上下駆動基台１０に固定されて直動軸受け１２に嵌合されている。
【００２７】
上下駆動支柱９と直動軸受け１２の間には、上下方向駆動用のモータ１３が配置されており、上下駆動基台１０の裏面にベルトを介して上下駆動支柱９の送りねじを回転できるようになっており、モータ１３の正逆回転によって測定部２を昇降させることができる。図示は省略しているが、上下方向３０ｍｍのストロークの両端は、リミットスイッチの検知で移動限界位置が検知できるようになっている。
【００２８】
又、モータ１３の軸上には、パルスカウントができるエンコーダが同軸状に配置され、上下駆動基台１０の裏面にはそれを検知するフォトカプラが設けられている。
【００２９】
上下駆動基台１０において、前後駆動部１４によって駆動される上下駆動基台１０の裏面には雌ねじナット１５が固定され、その雌ねじ部には前後駆動基台１６に支持されている送りねじ１７と螺合されている。そして送りねじ１７は、前後モータ１８とカップリングを介して結合されている。
【００３０】
又、上下駆動基台１０の左右両側面には、直動ガイドレール１９ａ，１９ｂが配置され、可動側が上下駆動基台１０に固定側が前後駆動基台１６に接合されている。
【００３１】
従って、前後モータ１８の正逆駆動によって、上下駆動部７を合む測定部２を前後方向に移動させることができる。前後方向４０ｍｍのストロークの両端は、図示を省略しているが、上下駆動部と同様にリミットスイッチの検知により移動限界位置を検知できるようになっている。又、前後モータ１８の軸上には、パルスカウントができるエンコーダが同軸状に配置され、前後駆動基台１６の上面には、それを検知するフォトカプラが配置されている。
【００３２】
前後駆動基台１６を左右方向に駆動させる左右駆動部２０は、前後駆動部１４と同様に前後駆動基台１４の裏面には図示していないが雌ねじナットが固定され、その雌ねじ部には左右駆動基台２１に支持されている送りねじ２２と螺合されている。送りねじは、左右モータ２３とベルト２４を介して結合されている。又、前後駆動基台１４の前後両側面には、直動ガイドレール２５ａ，２５ｂが配置され、可動側が前後駆動基台１４に固定側が左右駆動基台２１に接合されている。
【００３３】
従って、左右モータ２３の正逆回転駆動によって、上下駆動部７及び前後駆動部１４を含む測定部２を左右方向に移動させることができる。尚、図示していないが、前後駆動部１４と同様に左右方向９０ｍｍのストロークの両端は、リミットスイッチの検知で移動限界位置が検知できるようになっている。又、左右モータ２３の軸上には、パルスカウントができるエンコーダが同軸状に配置され、左右駆動基台２１の上面には、それを検知するフォトカプラが配置されている。
【００３４】
このようにして、測定部２は上下駆動部７、前後駆動部１４、左右駆動部２０によって、被検眼Ｅに対して三次元方向に移動でき、子供から大人までの被検者を顔受け部に顔を載せただけで、電動駆動により位置合わせすることができる。
【００３５】
図３は測定部２内部の光学系の配置図である。
【００３６】
被検眼Ｅの視軸に位置合わせする測定部２の中心軸Ｏ上には、被検眼Ｅ側からケラトリング光源３０、可視光を全反射し波長８８０ｎｍの光束を一部反射するダイクロイックミラー３１、対物レンズ３２、孔あきミラー３３、絞り３４、投影レンズ３５、投影絞り３６、８８０ｎｍの光を出射する測定光源３７が順次に配列されている。孔あきミラー３３の反射方向には、６分割絞り３８、６分割プリズム３９、受光レンズ４０、二次元撮像素子４１が順次に配置されている。６分割絞り３８と６分割プリズム３９は、図４に示す形状になっており、実際にはこれらは密着されている。
【００３７】
上述した光学系は眼屈折測定用であり、測定光源３７から発せられた光束は、投影絞り３６で光束が絞られ、投影レンズ３５により対物レンズ３２の手前で１次結像するようにされ、対物レンズ３２、ダイクロイックミラー３１を透過して被検眼Ｅの瞳中心に投光される。その光束は眼底で結像され、その反射光は瞳周辺を通って再び対物レンズ３２に入射される。入射された光束は、対物レンズ３２を透過後、孔あきミラー３３の周辺部で反射される。反射された光束は被検眼瞳孔と略共役な６分割絞り３８で瞳分離され、６分割プリズム３９で二次元撮像素子４１の受光面に６点のスポット像として投影される。
【００３８】
被検眼Ｅが正視眼であれば、この６点のスポット像の重心を結ぶ近似曲線は所定の円になり、近視眼や遠視眼では近似曲線の円の曲率が大きくなったり小さくなったりする。乱視がある場合は近似曲線は楕円になり、水平軸と楕円の長軸でなす角度が乱視軸角度となる。この楕円の近似曲線の係数より屈折値を求める。
【００３９】
一方、ダイクロイックミラー３１の反射方向には、固視標投影光学系と、前眼部観察とケラト測定とアライメント検出が共用されるアライメント受光光学系が配置されているアライメント受光光学系として、ダイクロイックミラー３１側から、レンズ４２、ダイクロイックミラー４３、アライメントプリズム絞り４４、結像レンズ４５、ケラト絞り４６、二次元撮像素子４７が配置されている。アライメントプリズム絞り４４とケラト絞り４６は、光路上に挿脱自在になっており、屈折測定時にはアライメントプリズム絞り４４のみが光路内に挿入され、ケラト測定時にはケラト絞り４６のみが挿入される。
【００４０】
アライメントプリズム絞り４４は、図５に示す形状になっており、円盤状の絞り板に３つの開口部４４ａ，４４ｂ，４４ｃが設けられていて、両側の開口部４４ａ，４４ｂ，４４ｃのダイクロイックミラー４３側に波長８８０ｎｍ付近のみの光束を透過するアライメントプリズム４８ａ，４８ｂが接着されている。又、被検眼Ｅの前眼部の斜め前方には、前眼部照明光源５０ａ，５０ｂが配置されている。
【００４１】
ダイクロイックミラー４３の透過側には固視投影光学系が配置されており、全反射ミラー５１、固視誘導レンズ５２、固視チャート５３、固視投影光源５４が順次配列されている。固視誘導時に、点灯された固視投影光源５４の投影光束は、固視チャート５３を裏側より照明され、固視誘導レンズ５２、レンズ４２を介して被検眼Ｅの眼底に投影される。  尚、固視誘導レンズ５２は被検眼Ｅの視度誘導を行い雲霧状態を実現するために、固視誘導モータ５５により光軸方向に移動できるようになっている。
【００４２】
アライメント検出のための光源は、眼屈折測定用の測定光源３７と兼用され、測定部２から投影された光束は、被検眼Ｅの角膜Ｃで反射される。その反射光束は、再び測定部２に戻ってダイクロイックミラー３１で反射され、レンズ４２で平行光束になり、ダイクロイックミラー４３で反射され二次元撮像素子４７等の受光光学系に導かれる。
【００４３】
この際、アライメントプリズム４８ａを透過した光束は下方向に屈折され、アライメントプリズム４８ｂを透過した光束は上方向に屈折される。中心の開口部４４ｃは、前眼部照明５０ａ，５０ｂの波長７８０ｎｍ以上の光束が通るようになっているので、前眼部照明光源５０ａ，５０ｂにより照明された前眼部像の反射光束は、アライメントプリズム絞り４４の開口部４４ｃを通り、結像レンズ４５で二次元撮像素子４７に結像される。被検眼Ｅを測定部２の光軸Ｏにほぼ位置合わせする場合には、二次元撮像素子４７に受光された映像を表示装置１で見ながら概略の位置合わせすることができる。
【００４４】
角膜反射像でアライメントするオートアライメントでは、アライメントプリズム絞り４４が光路に挿入され、絞り４４を透過した光束は結像レンズ４５で二次元撮像素子４７に結像される。
【００４５】
図６はアライメントプリズム絞り４４を介して観察される被検眼像Ｅ’である。図６（ａ）は被検眼Ｅが適正に位置合わせされた場合を示し、被検眼像Ｅ’はアライメントプリズム絞り４４の中心の開口部４４ｃを透過した光束によって結像され、アライメント兼用の測定光源３７の角膜反射像も画面中心に輝点として結像する。アライメントプリズム絞り４４の左右両側の開口部４４ａ，４４ｂを透過した光束は、アライメントプリズム４８ａ，４８ｂにより画面上中心から上下方向に屈折され、３つの縦１列の輝点として観察される。
【００４６】
図６（ｂ）は被検眼Ｅに対し測定部２が操作者側から見て右上方向にずれた状態での観察像を示している。又、図６（ｃ）は左右上下方向の位置は合っているが、前後方向である作動距離方向がずれている場合を示す。方向は縦１列の３つの輝点の内、上下２つの輝点の左右方向の位置が反対になるので、どの方向にずれているかが検出できる。
【００４７】
３つの輝点の位置関係から作動距離を求める方法については、特開平９−８４７６０号公報に記述されている。
【００４８】
ケラト測定時には、ケラト光源リング３０の角膜反射光束が結像レンズ４５を介してケラト絞り４６で光束が制限され、二次元撮像素子４７に結像される。
【００４９】
ケラト絞り４６はレンズ系の焦点位置に置かれて所謂テレセントリック光学系を形成していて、被検眼Ｅの光軸方向の位置ずれが測定誤差にならないように配置されている。
【００５０】
図７はブロック回路構成図である。
【００５１】
測定スイッチ、プリント開始スイッチ等が配置されたスイッチパネル５、測定部２を被検眼Ｅに対して上下左右に移動させるためのトラックボール３、測定部２を被検眼Ｅに対して前後に移動させるためのロータリーエンコーダに接続されたローラ４及び測定結果を印字するためのプリンタ６がＣＰＵ６０のポートに接続されている。
【００５２】
二次元撮像素子４１で撮影された眼底像の映像信号は、Ａ／Ｄ変換器６１によりデジタルデータに変換され、画像メモリ６２に格納される。ＣＰＵ６０は、画像メモリ６２に格納された画像に基づいて眼屈折力の演算を行う。又、二次元撮像素子４７で撮影された前眼部像の映像信号は、Ａ／Ｄ変換器６３によりデジタルデータに変換され画像メモリ６４に格納される。ＣＰＵ６０は、画像メモリ６４に格納された画像に基づいてアライメント輝点を検出してアライメント状態の検出判断を行ったり、被検眼角膜の曲率半径の演算を行う。
【００５３】
又、二次元撮像素子４７で撮影された前眼部像の映像信号は、キャラクタ発生装置６５からの信号と合成され、表示装置１上に前眼部像や測定値等が表示される。
【００５４】
上下モータ１３、前後モータ１８、左右モータ２３、固視誘導レンズ用モータ５５は、それぞれのモータドライバ６７，６８，６９，７０に接続され、ＣＰＵ６０からの指令により駆動される。
【００５５】
固視標光源５４、ケラトリング光源３０、前眼部照明光源５０ａ，５０ｂ、測定光源３７は図示しないドライバを介してＤ／Ａ変換器７１に接続されており、ＣＰＵ６０からの指令により光量を変化させることができる。
【００５６】
又、顎受け台上下モータ７２がモータドライバ７３を介してＣＰＵ６０に接続されていて、スイッチパネル５の顎受け台上下スイッチの入力によるＣＰＵ６０からの指令により駆動される。
【００５７】
図８はスイッチパネル５の配置図である。
【００５８】
スイッチパネル５には、前述のトラックボール３、ローラー４の他に、被検眼のオートアライメントや測定を開始するために用いられる測定開始スイッチ８０、通常は被検眼の眼屈折力のみの測定（Ｒ）や角膜形状のみの測定（Ｋ）及び眼屈折力と角膜形状の測定を連続的に同時に行う連続測定（ＲＫ）のモードから所望の測定モードを選択するための測定モード選択スイッチ８１、眼屈折力測定における角膜頂間距離、乱視度数の符号や表示単位等、装置の種々の設定を行うための設定スイッチ８２、測定結果のプリンター６への印字を行うための印字スイッチ８３が図のように配置されている。
【００５９】
又、顎受け台を顎受け台上下モーター７２により上昇させるためのスイッチ８４ａ、下降させるためのスイッチ８４ｂも図のように配置されている。
【００６０】
図９は設定スイッチ８２を押した後、装置の設定を行うために表示装置１の画面に表示される内容の一部を示した図である。
【００６１】
角膜頂間距離ＶＤは０，１２．０，１３．５から選択できるようになっている。乱視度数の符号ＣＹＬは−，＋，＋／−から選択できるようになっている。表示単位Ｉｎｃは０．１２，０．２５から選択できるようになっている。
【００６２】
オートアライメントで測定を行う際に１回の測定で測定される回数Ａｕｔｏ  Ｍｅａｓｕｒｅは１，３，５から選択できるようになっている。オートアライメントで測定を行う際に被検者の左右両眼を連続して測定するＲ＆Ｌ  Ｍｅａｓｕｒｅは、連続で測定するか（ＯＮ）、片眼の測定で停止するか（ＯＦＦ）を選択できるようになっている。
【００６３】
測定終了後、プリンター６から自動で測定結果を印字するかの設定Ａｕｔｏ  ＰｒｉｎｔはＯＮ，ＯＦＦから選択できるようになっている。
【００６４】
図８で各項目の下線が引かれている項目が現在の設定を示している。
【００６５】
この設定は、図最下部のグラフィックで示されているように顎受け台上下スイッチ８４ａ，８４ｂ、トラックボール３、ローラ４及び各スイッチ８０〜８３の操作で指示して変更を行える。
【００６６】
このように構成された本実施の形態のオートレフケラトメーターにおいて、被検者の顔を顔受け台８６に固定し、被検眼Ｅに対して測定部２を光軸Ｏを合わせるため、操作者はトラックボール３とローラ４を操作する。トラックボール３の操作は測定部２を被検眼Ｅに対し左右及び上下方向に移動させ、ローラ４は測定部２を前後方向に移動させて位置合わせができる。
【００６７】
この操作において、装置側ではトラックボール３及びローラ４に接続されているそれぞれのパルスカウンタやロータリエンコーダからの出力信号をＣＰＵ６０で受けて、操作量及び速度が検知できるようになっている。更に、その操作量及び速度から各モータドライバ６７，６８，６９を介して、上下モータ１３、前後モータ１８、左右モータ２３を駆動させる。
【００６８】
操作者は上述した操作により測定部２を移動し、被検眼Ｅの観察画像を表示装置１で確認できるようにして、被検眼Ｅの虹彩が明確に見え、瞳孔がほぼ中心に合わさられると、スイッチパネル５に配置された測定開始スイッチ８０を押す。
【００６９】
測定開始スイッチ８０を押すと、装置は先ず被検眼Ｅに対して測定部２を自動的に位置合わせするオートアライメントを開始する。
【００７０】
オートアライメントにより、被検眼Ｅと測定部２の光軸Ｏの位置合わせが完了すると、測定モード選択スイッチ８１により選択された下記の各測定を行う。
【００７１】
ａ）角膜形状測定（Ｋ）：
ＣＰＵ６０は以下の手順を踏んで角膜形状の測定を行う。
【００７２】
ケラト絞り４６を光路内に挿入し、前眼部照明光源５０ａ，５０ｂを消灯する。
【００７３】
次に、ケラト光源リング３０を発光させてリング状の光束を被検眼Ｅの角膜に投影する。
【００７４】
被検眼角膜で反射された角膜反射像は、角膜の形状によって楕円形状のリング像となり、二次元撮像素子４７に結像する。
【００７５】
撮像されたリング像をＡ／Ｄ変換器６３によりデジタル化して画像メモリ６４に格納する。
【００７６】
画像メモリ６４に格納された角膜反射像から楕円の長径、短径及び長径軸の傾きを算出して、被検眼Ｅの角膜形状を算出する。
【００７７】
尚、求められた楕円の長径、短径に相当する角膜の曲率半径及び撮像素子の受光面上での楕円軸の角度と角膜の乱視軸との関係は予め装置の製造過程において較正されているものである。
【００７８】
ｂ）眼屈折力測定（Ｒ）：
ＣＰＵ６０は以下の手順で、被検眼Ｅの眼屈折力を算出する。
【００７９】
測定光源３７を点灯し、被検眼の眼底からの反帰光を二次元撮像素子４１で受光する。
【００８０】
撮像された眼底像は被検眼の屈折力により６点に分離されて投影される。
【００８１】
撮像された６点の画像をＡ／Ｄ変換器６１によりデジタル化して、画像メモリ６２に格納する。
【００８２】
画像メモリ６２に格納された６点各々の重心座標を算出、その６点を通る楕円の方程式を求める（６点から楕円の方程式を求める方法は周知である）。
【００８３】
求められた楕円の長径、短径及び長径軸の傾きを算出して、被検眼Ｅの眼屈折力を算出する。
【００８４】
尚、求められた楕円の長径、短径に相当する眼屈折力値及び撮像素子の受光面上での楕円軸の角度と乱視軸との関係は予め装置の製造過程において較正されているものである。
【００８５】
以上のようにして、先ず求められた眼屈折力値からその屈折力値に相当する位置まで固視誘導レンズ用モータ５５を駆動して、固視誘導レンズ５２を移動させて被検眼の屈折度に相当する屈折度で固視チャート５３を被検眼に呈示する。
【００８６】
その後、固視誘導レンズ５２を所定量、遠方に移動させ、固視チャート５３を雲霧させる。
【００８７】
再び測定光源３７を点灯し、屈折力を測定する。
【００８８】
上記のような、屈折力の測定→固視目標の雲霧動作→屈折力の測定を繰り返し、屈折力が安定する最終の測定値を得る。
【００８９】
Ｃ）ＲＫ連続測定：
被検眼の一眼について、上述した眼屈折力測定（Ｒ）を行ってから連続して角膜形状測定（Ｋ）を行うモードである。
【００９０】
本実施の形態では、前記装置の設定に従ってＲ測定３回、Ｋ測定３回の測定をそれぞれの眼について行うように設定されている。
【００９１】
又、本実施の形態では、前記装置の設定で、両眼連続測定が選択されている（図９）ので、最初に被検眼の右目をオートアライメントした後、モード選択スイッチ８１で選択されたＲ，Ｋ，ＲＫの中の１つの測定モードで右目の測定を所定回数行う。
【００９２】
右眼の測定が終了すると、例えば一般的な眼幅６５ｍｍだけ左眼側に測定部２を移動して左目のオートアライメントを行い、右眼と同様に左眼の測定を自動で行うようになっている。
【００９３】
左右両眼の測定結果は、装置の設定がＡｕｔｏ  Ｐｒｉｎｔ：ＯＮになっているので自動的にプリンター６から印字されるようになっている。
【００９４】
本実施の形態に係るオートレフケラトメーターは、上述したように被検眼の眼屈折力や角膜形状の測定以外に模擬眼の屈折力やレンズ表面の形状測定及びハードコンタクトレンズのベースカーブの測定も可能になっている。
【００９５】
後述するように模擬眼の測定もコンタクトレンズのベースカーブの測定も模擬眼８５を使用して測定が行われ、その模擬眼８５の取り付けの有無をＣＰＵ６０が検出することによって測定モード選択スイッチ８１で選択できる測定モードを、被検眼の測定を行う場合は、Ｒ又はＫ又はＲＫの中からしか選択できないように、又、模擬眼の測定及びコンタクトレンズのベースカーブの測定を行う場合は、模擬眼測定モード又はベースカーブ測定モード（ＣＬＢＣ）の何れかの測定モードしか選択できないように選択できる測定モードの変更を行う。
【００９６】
図１０は模擬眼８５の測定を行う場合の説明図である。
【００９７】
模擬眼８５は、図１１に示すように、本装置の精度をチェックするために人眼に相当する屈折力とレンズ表面の曲率半径を持つように設計されたロッドレンズ８５ａ、ロッドレンズ８５ａを収納する保持鏡筒８５ｂ、ロッドレンズ８５ａの底面を保持するクッション部材８５ｃ、保持鏡筒８５ｂが図示のように取り付けられている取付金具８５ｄ、取付金具８５ｄの底面に設置され後述の顎受け台の検出孔に嵌入する検出ピン８５ｅから構成されている。
【００９８】
この模擬眼８５を顎受け台に置いて、模擬眼８５のロッドレンズ８５ａのレンズ表面に測定部２の光軸Ｏを位置合わせすることにより、模擬眼の屈折力や表面の曲率半径を測定し、装置の精度をチェックすることができるようになっている。
【００９９】
模擬眼８５を顎受け台に置かれて検出ピン８５ｅの嵌入が検出されると、事前に装置がＲ又はＫ又はＲＫのどの測定モードになっているかに拘わらず、ＣＰＵ６０は測定モードを下記の模擬眼の屈折力と表面曲率を測定する模擬眼測定モードにモード設定を変更する。
【０１００】
本実施の形態では、模擬眼測定モードは、
▲１▼屈折力と曲率半径を連続で測定するＲＫ連続測定モードに測定モードを変更する。
【０１０１】
▲２▼模擬眼では、調節による屈折力変動や睫毛・瞼による測定光の遮り等が起こらないので測定回数を１  回に変更する。
【０１０２】
▲３▼左右眼連続測定を片眼のみの測定に変更して、測定後の自動印字も行わない。
【０１０３】
▲４▼測定値の表示画面で測定された屈折力・曲率表示の他に、模擬眼のあるべき測定値として設計値も並べて表示する（更に望ましくは、測定値が許容変動を超えているかどうかをＯＫ、ＮＧ等の判定と共に表示する）。
なる測定モードである。
【０１０４】
図１２は模擬眼８５を顎受け台に置いた時に、模擬眼の設置を検出するための機構を説明するための顔受け部８６と模擬眼８５の検出ピン８５ｅの構造を示す断面図である。
【０１０５】
顎受け台９０に設けられた検出孔９０ａの内部下方には、模擬眼８５の検出ピン８５ｅの嵌入を検出するためのマイクロスイッチ９１が設置されていて、図のように検出ピン８５ｅが嵌入するとマイクロスイッチ９１のアクチュエーターレバー９１ａを下方に押して、スイッチ９１ｂがＯＮの状態になる。
【０１０６】
マイクロスイッチ９１の検出結果出力は、図示しない配線によりＣＰＵ６０に入力されていて、上述の測定モード変更を行う。
【０１０７】
顎受け台９０は、取り付け板９２を介して上下動支柱９３に取り付けられている。
【０１０８】
上下動支柱９３はその内部に上下駆動用のネジ部９３ａが設けられており、そのネジ部９３ａと螺合するネジ棒９４、その下端部９４ａと顎受け台上下モータ７２の出力軸７２ａがカップリング９５によって連結されている。
【０１０９】
顎受け台上下モーター７２は、顔受け部８６の筐体部８６ａに不動に取り付けられている。９６は取付のための蓋である。
【０１１０】
上下動支柱９３には軸線に平行なキー溝９３ｂが設けられいて、顔受け部８６に形成されたピン８６ｂが嵌入しているために、顎受け台上下モータ７２による回転が防止されていて、上下に移動できる構造になっている。
【０１１１】
８７は上下動支柱の下端部に取り付けられた上下検出板であり、顔受け部８６の筐体内部に設置された不図示のマイクロスイッチ等の検出素子のＯＮ，ＯＦＦを行う。
【０１１２】
該検出素子は、上下動支柱９３の上限・下限位置の検出を行うものであり、その検出結果の出力はＣＰＵ６０に接続され、顎受け台上下モータ７２の駆動制御を行っている。
【０１１３】
被検者の額を当てる額当て９７は、顔受け部８６の上方のアーム部８６ｃに接合されている。
【０１１４】
更に、図１３は前記の模擬眼８５の保持鏡筒８５ｂの外径に嵌合して取り付けて使用されるコンタクトレンズホルダー９８の構造を表す図である。
【０１１５】
コンタクトレンズのベースカーブを測定する時は、
▲１▼上記の模擬眼８５を顎受け台９０に載せる。
【０１１６】
▲２▼コンタクトレンズホルダー９８のコンタクトレンズ保持部９８ａに水をつけてその表面張力でコンタクトレンズＣＬを図示のように取り付ける。
【０１１７】
▲３▼コンタクトレンズＣＬを取り付けたコンタクトレンズホルダー９８を模擬眼８５の保持鏡筒８５ｂの外径をガイドにして嵌合して取り付ける。
【０１１８】
▲４▼測定モードを前述の模擬眼測定モードからＣＬＢＣ測定モードに測定モード選択スイッチ８１を押して変更する。
ことによりコンタクトレンズを保持して、コンタクトレンズのベースカーブ面に測定部２の光軸Ｏを位置合わせして下記のベースカーブの測定を行う。
【０１１９】
ｄ）コンタクトレンズのベースカーブ測定（ＣＬＢＣ）：
ケラト絞り４６を光路内に挿入し、前眼部照明光源５０ａ，５０ｂを消灯する。
【０１２０】
次に、ケラト光源リング３０を発光させてリング状の光束をコンタクトレンズのベースカーブ面に投影する。
【０１２１】
コンタクトレンズのベースカーブ面で反射された反射像はベースカーブの曲率によって大きさの変化する円形像となり、二次元撮像素子４７に結像する。
【０１２２】
撮像された円形像をＡ／Ｄ変換器６３によりデジタル化して画像メモリ６４に格納する。
【０１２３】
画像メモリ６４に格納された円形像から直径を算出して、被検コンタクトレンズのベースカーブの曲率半径を算出する。
【０１２４】
尚、求められた円の直径に相当するコンタクトレンズのベースカーブの曲率半径の関係は予め装置の製造過程において較正されているものである。
【０１２５】
本実施の形態に係るオートレフケラトメーターでは、ケラト光源リング３０は有限距離に設置された拡散光源であり、被検眼角膜とコンタクトレンズのベースカーブ面とでは、凸面と凹面との違いで二次元撮像素子４７に撮像される楕円形状と曲率半径との関係が若干異なるので、製造工程で別々に較正され、Ｋ測定モードとＣＬＢＣ測定モードによって算出方法を変更している。
【０１２６】
以上述べたように、本実施の形態に係るオートレフケラトメーターでは、測定モード選択スイッチ８１を押すことによって変更・選択できる測定モードが、模擬眼８５が顎受け台９０に置かれていない時はＲ又はＫ又はＲＫ、模擬眼８５が顎受け台９０に置かれている時は、模擬眼測定又はＣＬＢＣ測定のように変化する。
【０１２７】
又、上述の模擬眼の測定或はＣＬＢＣ測定の終了後、模擬眼８５を顎受け台９０から取り去ると、模擬眼８５を置く前の測定モードに戻るようになっている。
【０１２８】
図１４は上で説明した実施の形態１での動作を示すフローチャートである。
【０１２９】
電源投入後、Ｓ１で、本装置のモーターや光源、撮像素子等のデバイスの初期化を行う。このとき、測定モードのフラグＥ，Ｍをそれぞれ初期状態である１に設定しておく。
【０１３０】
Ｅは人眼の測定モードの種類を表すフラグで、Ｅ＝１の時はＲＫ連続測定モード、Ｅ＝２の時はＲのみの測定モード、Ｅ＝３の時はＫのみの測定モードである。
【０１３１】
Ｍは模擬眼やコンタクトレンズのベースカーブの測定モードの種類を表すフラグで、Ｍ＝１の時は模擬眼の測定モード、Ｍ＝２の時はコンタクトレンズ・ベースカーブの測定モードである。
【０１３２】
次に、Ｓ２でマイクロスイッチ９１のＯＮ・ＯＦＦ状態を検出することにより、模擬眼８５が顎受け台に取り付けられているかどうかを判定する。
【０１３３】
模擬眼８５の取り付けが検出できなければ、Ｓ３で測定モード選択スイッチ８１が押されたかどうかを検出し、押された場合は測定モードフラグＥを１増加させる（Ｓ４）。もし、Ｅが４になっていれば（Ｓ５）Ｅ＝１に値を変更して（Ｓ６）から、現在の測定モードの種類を表示装置１の画面上に文字で表示して、操作者が分かるようにする（Ｓ７）。
【０１３４】
Ｓ３の判定で、測定モード選択スイッチ８１が押されていない場合は、測定スイッチが押されているかどうかを判定し（Ｓ８）、押されていればその時の測定モードの実行のアルゴリズムに移る（Ｓ９）。押されていなければ、Ｓ２の模擬眼８５の取り付けを検出する判定に戻る。
【０１３５】
Ｓ２で模擬眼８５が顎受け台に取り付けられているのを検出すると、Ｓ１０で測定モード選択スイッチ８１が押されたかどうかを検出し、押された場合は測定モードフラグＭを１増加させる（Ｓ１１）。もし、Ｍが３になっていれば（Ｓ１２）Ｍ＝１に値を変更して（Ｓ１３）から、現在の測定モードの種類を表示装置１の画面上に文字で表示して、操作者が分かるようにする（Ｓ１４）。
【０１３６】
Ｓ１０の判定で、測定モード選択スイッチ８１が押されていない場合は、測定スイッチが押されているかどうかを判定し（Ｓ１５）、押されていればその時選択されている模擬眼８５の測定或いはコンタクトレンズ・  ベースカーブ測定の実行のアルゴリズムに移る（Ｓ１６）。
【０１３７】
押されていなければ、Ｓ２の模擬眼８５の取り付けを検出する判定に戻る。
【０１３８】
図１５は実施の形態２を示す模擬眼９９と顔受け部８６を表す図面である。
【０１３９】
顔受け部８６の上方のアーム部８６ｃ内には模擬眼９９の検出ピン９９ａを嵌入する孔８６ｄが設けられていて、その内部下方には前述のマイクロスイッチ９１と同様の役割を果たすマイクロスイッチ１００が設置されている。
【０１４０】
マイクロスイッチ１００の検出信号も不図示の信号線によりＣＰＵ６０に接続されている。
【０１４１】
模擬眼９９の検出ピン９９ａを取り付け用の孔８６ｄに嵌入して、模擬眼９９の取り付けをＣＰＵ６０が検出すると、実施の形態１と同様に、測定モード選択スイッチ８１を押すことによって変更・選択できる測定モードが模擬眼測定又はＣＬＢＣ測定に切り替わるようになっている。
【０１４２】
このように模擬眼を顎受け台に搭載しない場合でもその検出は可能である。
【０１４３】
図１６は実施の形態３を示す模擬眼１０１とコンタクトレンズホルダー９８の取り付け状態を示す図である。
【０１４４】
模擬眼１０１の保持鏡筒１０２の側面には溝状開口部１０２ａが設けられていて、その開口部１０２ａからアクチュエータ部１０３ｄが突出する状態でリーフスイッチ１０３が設置されている。
【０１４５】
リーフスイッチ１０３は、２枚の導電板１０３ａ，１０３ｂで絶縁体１０３ｃを挟み込んだ構造になっていて、一方の導電板１０３ａの先端にはアクチュエーター部１０３ｄが設けられている。
【０１４６】
リーフスイッチ１０３は、アクチュエータ部１０３ｄに力が掛からない時は、内部の接点１０３ｅがオープンになりＯＦＦ状態となる。
【０１４７】
図に示したようにアクチュエータ部１０３ｄに上向きの力が加わって上方向に動かされた時は接点１０３ｅがクローズとなりＯＮ状態になる。
【０１４８】
コンタクトレンズホルダー９８を保持鏡筒１０２の外径をガイドにして図のように嵌合すると、コンタクトレンズホルダー９８によりアクチュエータ部１０３ｄを上に押し上げてＯＮ状態となるので、その状態を信号線１０４，１０５及びそれらに接触する顎受け１０６に設けられた接点１０７ａ，１０７ｂを介してＣＰＵ６０に信号として伝えられる。
【０１４９】
ＣＰＵ６０は、マイクロスイッチ９１の信号とリーフスイッチ１０３からの信号とで模擬眼１０１だけが顎受け台１０６に搭載されている場合と、模擬眼１０１にコンタクトレンズホルダー９８が被せられている場合とを識別できるようになっている。
【０１５０】
本実施の形態では、実施の形態１，２のように、測定モード選択スイッチ８１を押して模擬眼測定とＣＬＢＣ測定を切り替えなくても、模擬眼１０１の取り付けが検出されてコンタクトレンズホルダー９８の取り付けが検出できない時は、模擬眼測定モードに模擬眼１０１の取り付けとコンタクトレンズホルダー９８の取り付けの両方が検出された時は、コンタクトレンズのベースカーブ測定モードに自動的に切り替わるようにＣＰＵ６０は制御するようになっている。
【０１５１】
図１７は実施の形態３のフローチャートである。
【０１５２】
電源投入後、装置を初期化し、Ｓ２で模擬眼１０１の取り付けが検出できなければ、ＫＲ連続測定やＲ単独又はＫ単独測定のモードでの測定を行うアルゴリズムは実施の形態１のアルゴリズム（図１４）と同じである。
【０１５３】
Ｓ２でマイクロスイッチ９１がＯＮであることを検出して模擬眼１０１が取り付けられていることを検知すると、Ｓ１７でリーフスイッチ１０３がＯＮになっているかどうかを判定する。
【０１５４】
リーフスイッチ１０３がＯＦＦであれば、コンタクトレンズホルダー９８が取り付けられていないので、表示装置１に模擬眼測定モードであることを表示（Ｓ１８）し、測定スイッチが押されているかどうかを判定する（Ｓ１９）。その時、測定スイッチが押されれば模擬眼測定実行のアルゴリズムに移る（Ｓ２０）。押されていなければ、Ｓ２の模擬眼１０１の取り付けを検出する判定に戻る。
【０１５５】
リーフスイッチ１０３がＯＮであれば、コンタクトレンズホルダー９８が取り付けられていてコンタクトレンズの測定を行おうとしているので、表示装置１にコンタクトレンズ・ベースカーブの測定モードであることを表示（Ｓ２１）し、測定スイッチが押されているかどうかを判定する（Ｓ２２）。そのとき、測定スイッチが押されれば模擬眼測定実行のアルゴリズムに移る（Ｓ２３）。押されていなければ、Ｓ２の模擬眼１０１の取り付けを検出する判定に戻る。
【０１５６】
【発明の効果】
以上説明したように本発明に係る眼科装置では、
１．模擬眼やコンタクトレンズホルダー等の人眼以外の光学的特性の測定に用いられる測定補助部材の装置への取り付けを検知する検知手段と、該検知手段の検知結果から被検眼の光学的特性を測定する測定モードと、前記人眼以外の光学的特性を測定する測定モードとの切り換えを制御する制御手段を設けることにより人眼以外の測定の時に操作者が測定モードの切り換えを行わなくても済むため、煩わしい操作から開放され、操作性の良い装置を提供することができる。
【０１５７】
又、誤った測定モードによる誤操作を防止することができるという効果もある。
【０１５８】
２．前記測定補助部材は、コンタクトレンズのベースカーブを測定するために装置に取り付けられるコンタクトレンズホルダーであり、前記制御手段は該ホルダーの装置への取り付けを検知した時には前記測定モードをコンタクトレンズのベースカーブ測定のためのモードに切り替えるようにしたことにより、誤った測定モードによる誤操作を防止できるという効果がある。
【０１５９】
３．前記測定補助部材は、装置の精度チェックのために使用される模擬眼であり、前記制御手段は該模擬眼の装置への取り付けを検知した時には前記測定モードを模擬眼を測定し、装置の精度チェックを行うためのモードに切り替えるようにした。
【０１６０】
これにより、模擬眼の測定に適した状態で測定できるので、操作性の良い装置を提供することができる。
【０１６１】
４．前記制御手段は前記検知手段の検知結果から、前記測定補助部材が装置から取り外された時には前記測定補助部材が取り付けられる直前の測定モードに切換を行うようにした。
【０１６２】
これにより、通常使用される被検眼測定のための測定モードに特別な操作無しで戻るので、操作性の良い装置を提供でき、誤った測定モードによる誤操作を防止できるという効果もある。
【０１６３】
５．前記測定補助部材の装置への取り付けを検知する検知手段と、該検知手段の検知結果から前記測定補助部材が装置へ取り付けられていない時は、前記モード切替スイッチにより切換可能な測定モードを人眼の光学的特性の測定モードに設定し、前記測定補助部材が装置へ取り付けられている時は、前記モード切替スイッチにより切換可能な測定モードを測定補助部材の使用により測定する光学的特性の測定モードに設定するように制御するようにした。
【０１６４】
これにより模擬眼の測定やコンタクトレンズのベースカーブ測定の際の特別な条件や知識無しで操作者は操作することができるので、操作性の良い装置を提供でき、誤った測定モードによる誤操作を防止できるという効果もある。
【０１６５】
６．装置の精度を検査するために用いられ、装置に取り付け可能な模擬眼において、該模擬眼はコンタクトレンズを固定するコンタクトレンズホルダーを取り付け可能とし、前記模擬眼の装置への取り付けを検知する第１の検知手段と、前記コンタクトレンズホルダーの前記模擬眼への取り付けを検知する第２の検知手段を有し、前記第１と第２の検出結果から装置の測定モードを、前記模擬眼の測定モード又は前記コンタクトレンズの測定モードに切り替えることようにしたことによって、模擬眼測定とコンタクトレンズ・ベースカーブ測定といった人眼以外の測定の時に測定モードを一々模擬眼に適したモードに切り替える必要がなく操作性が良い装置を提供することができ、且つ、模擬眼測定だけでなく人眼測定においても、人眼測定との差異による間違った測定を行う危険性を防止することがきるという効果がある。
【図面の簡単な説明】
【図１】本発明の実施の形態に係るオートレフケラトメーターの外観図である。
【図２】測定部の駆動機構の説明図である。
【図３】測定部の光学配置図である。
【図４】６分割絞り、６分割プリズムの斜視図である。
【図５】アライメントプリズム絞りの斜視図である。
【図６】アライメント状態と観察画面の説明図である。
【図７】ブロック回路構成図である。
【図８】操作パネルの配置図である。
【図９】設定モード画面の説明図である。
【図１０】模擬眼の取り付け説明図である。
【図１１】模擬眼の断面図である。
【図１２】模擬眼の検出機構の説明図である。
【図１３】コンタクトレンズホルダーの取り付け説明図である。
【図１４】本発明の実施の形態１のフローチャートである。
【図１５】本発明の実施の形態２の模擬眼の取り付け説明図である。
【図１６】本発明の実施の形態３のコンタクトレンズホルダーの取り付け説明図である。
【図１７】本発明の実施の形態３のフローチャートである。
【符号の説明】
８０    測定開始スイッチ
８１    測定モード選択スイッチ
８５    模擬眼
８５ｅ  検出ピン
８６    顔受け部
９０    顎受け台
９０ａ  検出孔
９１    マイクロスイッチ
９８    コンタクトレンズホルダー
１０３  リーフスイッチ
【図１】
2005006869.tif 000003
【図２】
2005006869.tif 000004
【図３】
2005006869.tif 000005
【図４】
2005006869.tif 000006
【図５】
2005006869.tif 000007
【図６】
2005006869.tif 000008
【図７】
2005006869.tif 000009
【図８】
2005006869.tif 000010
【図９】
2005006869.tif 000011
【図１０】
2005006869.tif 000012
【図１１】
2005006869.tif 000013
【図１２】
2005006869.tif 000014
【図１３】
2005006869.tif 000015
【図１４】
2005006869.tif 000016
【図１５】
2005006869.tif 000017
【図１６】
2005006869.tif 000018
【図１７】
2005006869.tif 000019